(57)【要約】【課題】本発明は、既存の設備を活かしつつ、遊技機の取り外し作業や取り付け作業をより簡易化できる遊技場用椅子を提供することを目的とする。また、当該遊技場用椅子と遊技機島を備える遊技機島ユニットを提供することを目的とする。【解決手段】複数のぱちんこ機２が取り付けられるぱちんこ島３に並列し、ぱちんこ機２に対応するように設置され、遊技者が着座する着座部６と、着座部６を支持する脚部８を有し、着座部６は、床面４に対して平行移動可能であり、ぱちんこ島３は、ぱちんこ機２よりも下方の壁面であって、かつぱちんこ島３の外壁面を形成する腰板部３１を有し、着座部６が腰板部３１と当接又は近接する収納姿勢を取り、収納姿勢において、ぱちんこ島３の外側に位置している構成とする。【選択図】図３
2015116314.tif 000002
【特許請求の範囲】
【請求項１】
１又は複数の遊技機が取り付けられる遊技機島に並列し、遊技機に対応するように設置される遊技場用椅子において、
遊技者が着座する着座部と、前記着座部を支持する支持部を有し、
前記着座部は、床面に対して平行移動可能であり、
前記遊技機島は、遊技機よりも下方の壁面であって、かつ遊技機島の外壁面を形成する壁面形成部を有し、
前記着座部が前記壁面形成部と当接又は近接する収納姿勢を取り、
前記収納姿勢において、前記支持部は、前記遊技機島の外側に位置していることを特徴とする遊技場用椅子。
【請求項２】
前記遊技機島は、前記遊技機の底部を載置する膳板部を有するものであり、
前記遊技場用椅子は、背もたれ部を有し、
当該背もたれ部は、少なくとも一部が前記膳板部よりも高い位置になるように着座部から立設されていることを特徴とする請求項１に記載の遊技場用椅子。
【請求項３】
複数の遊技機と、前記複数の遊技機が取り付けられる遊技機島と、複数の請求項１又は２に記載の遊技場用椅子を備えた遊技機島ユニットであって、
前記複数の遊技機のうち少なくとも２つの遊技機は、遊技機島を挟んで対向する位置に取り付けられており、
前記２つの遊技機に対応して前記遊技場用椅子がそれぞれ設置されることを特徴とする遊技機島ユニット。
【請求項４】
前記遊技機島は、遊技機を取り付ける遊技機取付部を複数有しており、
前記２つの遊技機を取り付ける遊技機取付部は、一方の遊技機取付部を正面視したときに、一方の遊技機取付部の投影面が他方の遊技機取付部と略一致していることを特徴とする請求項３に記載の遊技機島ユニット。
【請求項５】
前記遊技機島は、遊技機よりも下方の位置に遊技媒体を貯留する島中タンクを内蔵することを特徴とする請求項３又は４に記載の遊技機島ユニット。
【発明の詳細な説明】
【技術分野】
【０００１】
本発明は、遊技場に設置される遊技場用椅子に関する。また本発明は、遊技場用椅子と遊技機島を備えた遊技機島ユニットに関する。
【背景技術】
【０００２】
ぱちんこ機などの遊技機を遊技できる遊技場は、１又は複数の遊技機を取り付ける遊技機島を備えており、この遊技機島は、遊技場内で列状に並列されて設置されている。
また、この遊技機島は、高さ方向の略中央に遊技機を取り付けるための空間である遊技機取付部が複数設けられている。これらの遊技機取付部は、遊技機島の表裏に配されており、表面及び裏面において遊技機島の列方向に並列して設けられている。
そして、遊技機取付部に取り付けられた各遊技機に向かい合うように１脚ずつ遊技場用の椅子が配置されている。この遊技場用の椅子は、一般的に、その一部が遊技場の床面に埋設されており、遊技場の床面に一体的に固定された状態となっている。
【先行技術文献】
【特許文献】
【０００３】
【特許文献１】特開２００９−４５２９５号公報
【発明の概要】
【発明が解決しようとする課題】
【０００４】
ところで、遊技場では、遊技者の興味を引くために、新しい遊技機の導入（いわゆる、新台入れ替え）や、既設の遊技機の配置替え（レイアウト変更）等の作業が頻繁に行われる。
例えば、遊技場では、閉店後や定休日に、既に遊技機取付部に設置された遊技機を取り外す取外し作業や、遊技機を取り外した遊技機取付部に新たな遊技機を取り付ける取付け作業が行われる。
これらの作業では、一般的に、作業者が遊技機を抱えて遊技機取付部まで運搬して、遊技機を取り付ける。
しかしながら、上記したように、遊技機と対応して設置される椅子は、遊技場の床面と一体的に固定されているため、この遊技機の運搬作業において、床面に固定された椅子が作業の邪魔となっていた。
【０００５】
上記した問題を解決するために、本発明者は、特許文献１に記載の椅子の収納構造に着目した。
【０００６】
特許文献１には、床面又は遊技機島の内部に椅子を収納することによって、遊技機の正面に空間を形成し、車椅子の遊技者でも車椅子のまま遊技を楽しめる構造が提案されている。具体的には、特許文献１には、椅子を天地方向に移動させて遊技場の床面に収納する床面収納構造と、椅子を床面に平行移動させて遊技機島の内部に収納する遊技機島収納構造が開示されている。
本発明者は、これらの収納構造を採用することで遊技機を遊技機取付部の近くまで運び入れることが可能となり、遊技機の取り外し作業や取り付け作業をより簡易化できると考えた。
【０００７】
しかしながら、本発明者が特許文献１について詳細な検討を行ったところ、既設の遊技場の実情にそぐわないことが判明した。
すなわち、床面収納構造においては、上記したように、椅子が遊技場の床面と一体的に固定されているので、既設の遊技場において床面に収納空間を形成するのは、大がかりな工事が必要となり、莫大な工事費用が発生する。
また、遊技機島収納構造は、遊技機島内に椅子の移動を制御するリミットスイッチや椅子を移動させる移動モーターなどを設置した上で、さらに椅子を収納する空間が遊技機島内に必要となる。
特に、ぱちんこ機を取り付ける遊技機島たるぱちんこ島では、遊技機よりも下方の部位に、いわゆるアウトレールと呼ばれる遊技機からのアウト球を回収するレールやぱちんこ球を一時的に貯留する島中タンク、研磨機や揚送装置などが収納された下部タンクなどが内蔵されている。すなわち、ぱちんこ島内には、アウトレールや島中タンク、下部タンクなどが占めているから、リミットスイッチや移動モーターなどに加えてさらに椅子を収納する空間まで事実上確保できない。
このように、特許文献１に記載の収納構造を既設の遊技場に採用するには、コスト面、空間面で問題があった。
【０００８】
そこで、本発明は、既存の設備を活かしつつ、遊技機の取り外し作業や取り付け作業をより簡易化できる遊技場用椅子を提供することを目的とする。また、当該遊技場用椅子と遊技機島を備える遊技機島ユニットを提供することを目的とする。
【課題を解決するための手段】
【０００９】
上記した検討を踏まえて、本発明者は、遊技機の取替作業を行うには、必ずしも椅子を完全に収納する必要はなく、遊技機の取外し作業や取付け作業において邪魔にならない程度に椅子を収納できれば、取替作業の簡略化が可能であると考えた。すなわち、本発明者は、作業者の作業空間と遊技機取付部の距離をある一定以上に近くすることで、作業者の遊技機の運搬経路が短くなり、作業者の作業効率が向上すると考えた。
【００１０】
上記した考察を踏まえて導き出された請求項１に記載の発明は、１又は複数の遊技機が取り付けられる遊技機島に並列し、遊技機に対応するように設置される遊技場用椅子において、遊技者が着座する着座部と、前記着座部を支持する支持部を有し、前記着座部は、床面に対して平行移動可能であり、前記遊技機島は、遊技機よりも下方の壁面であって、かつ遊技機島の外壁面を形成する壁面形成部を有し、前記着座部が前記壁面形成部と当接又は近接する収納姿勢を取り、前記収納姿勢において、前記支持部は、前記遊技機島の外側に位置していることを特徴とする遊技場用椅子である。
【００１１】
ここでいう「着座部が壁面形成部と近接する」とは、着座部の一部が壁面形成部と近い位置まで近づくことをいい、具体的には、壁面形成部と着座部との距離が１５ｃｍ以内に近づいた状態を表す。
【００１２】
本発明の構成によれば、着座部が壁面形成部と当接又は近接する収納姿勢を取るので、椅子の移動方向後方に空間が形成される。そのため、当該空間に遊技機を仮置きし、そこから遊技機を抱えて遊技機の取付部位たる遊技機取付部に取り付けることが可能である。すなわち、従来に比べて、作業者が遊技機取付部の近い位置まで遊技機を持っていくことが可能であり、そこから遊技機取付部までの運搬経路の短縮化が可能である。
このように、本発明の遊技場用椅子であれば、作業者が遊技機を抱える時間が短縮できるから作業者の負担を軽減でき、作業効率が向上する。
また、本発明の構成によれば、収納姿勢において、支持部が遊技機島の外側に位置しているため、遊技機島の内部を改造しなくても、遊技場用椅子の後方に空間を形成することが可能である。すなわち、既設の遊技機島を備えた遊技場であっても、大がかりな工事が必要なく、遊技機の取り付け作業及び取り外し作業を簡略化することができる。
【００１３】
ところで、遊技機による遊技は、長時間に渡ることが多い。そこで、従来から遊技場に設置される椅子には、長時間の遊技中の遊技者の負担を和らげるために、背もたれ部を備えたものがある。この場合、上記した特許文献１に記載の遊技機島収納構造は、収納したときに背もたれ部が遊技機と重なるので、採用できない。
【００１４】
一方、請求項２に記載の発明は、前記遊技機島は、前記遊技機の底部を載置する膳板部を有するものであり、前記遊技場用椅子は、背もたれ部を有し、当該背もたれ部は、少なくとも一部が前記膳板部よりも高い位置になるように着座部から立設されていることを特徴とする請求項１に記載の遊技場用椅子である。
【００１５】
本発明の構成によれば、収納姿勢において、遊技機島の外部に位置し、遊技機島の内部に収納するわけではないので、背もたれ部の少なくとも一部が膳板部よりも高い位置にあっても、遊技機の取外し作業や取付け作業の簡略化が可能である。
【００１６】
ところで、遊技機島は、上記したように表裏に遊技機が設置され、それぞれ遊技機に対応する椅子が遊技機島と対面するように配される。すなわち、遊技機の取外し作業や取付け作業は、遊技機島の表側及び裏側の両方で行われる場合がある。しかしながら、特許文献１に記載の遊技機島収納構造では、遊技機島の内部に移動モーターなどの機器を内蔵させる必要がある。そのため、遊技機島を挟んで対向する椅子を移動させるためには、移動モーターなどの機器を設置する空間が二倍必要となる。すなわち、遊技機島の表側及び裏側の両方で遊技機島収納構造を備えた椅子を設けると、空間の確保がより困難となる。
【００１７】
一方、請求項３に記載の発明は、複数の遊技機と、前記複数の遊技機が取り付けられる遊技機島と、複数の請求項１又は２に記載の遊技場用椅子を備えた遊技機島ユニットであって、前記複数の遊技機のうち少なくとも２つの遊技機は、遊技機島を挟んで対向する位置に取り付けられており、前記２つの遊技機に対応して前記遊技場用椅子がそれぞれ設置されることを特徴とする遊技機島ユニットである。
【００１８】
本発明の構成によれば、遊技機が遊技機島を挟んで対向するように遊技機が取り付けられ、それぞれの遊技機に対応するように遊技場用椅子が設置されていても，遊技機島内に新たに収納する空間を必要としないから、作業の簡易化が可能となる。
【００１９】
請求項４に記載の発明は、前記遊技機島は、遊技機を取り付ける遊技機取付部を複数有しており、前記２つの遊技機を取り付ける遊技機取付部は、一方の遊技機取付部を正面視したときに、一方の遊技機取付部の投影面が他方の遊技機取付部と略一致していることを特徴とする請求項３に記載の遊技機島ユニットである。
【００２０】
ここでいう「略一致」とは、一方の遊技機取付部を正面視したときに、重複部分（一致部分）が一方の遊技機取付部全体の９５パーセント以上を占めることをいう。
【００２１】
本発明の構成によれば、遊技機取付部は、一方の遊技機取付部を正面視したときに、一方の遊技機取付部の投影面が他方の遊技機取付部と略一致しているので、これらの遊技機取付部に取り付けられる遊技機の位置は、遊技機が対向する方向（表裏方向）に対して交差する遊技機の並列方向において殆どずれていない。そのため、並列方向において、遊技機を詰めて設置することができ、遊技機を最大限まで遊技機島に取り付けることができる。
【００２２】
請求項５に記載の発明は、前記遊技機島は、遊技機よりも下方の位置に遊技媒体を貯留する島中タンクを内蔵することを特徴とする請求項３又は４に記載の遊技機島ユニットである。
【００２３】
本発明の構成によれば、収納姿勢において遊技機島の内部に収納するわけではなく、遊技機島の構造を変更しなくても収納できるので、遊技機島に島中タンクを内蔵している場合でも、遊技機の取外し作業や取付け作業の簡略化が可能である。
【発明の効果】
【００２４】
本発明の遊技場用椅子によれば、既存の設備を活かしつつ、遊技機の取り外し作業や取り付け作業をより簡易化できる。
本発明の遊技機島ユニットによれば、遊技場用椅子に好適に使用できる。
【図面の簡単な説明】
【００２５】
【図１】本発明の第１実施形態に係る遊技機島ユニットを模式的に表す斜視図である。
【図２】図１の遊技機島ユニットを構成するぱちんこ島の内部構造を模式的に表す正面図である。
【図３】図１の遊技機島ユニットの鉛直方向のおける断面図であり、左図は、遊技場用椅子を基本姿勢にした図であり、右図は、遊技場用椅子を収納姿勢にした図である。
【図４】図１の遊技機島ユニットの水平方向における断面図である。
【図５】図１の遊技場用椅子の要部を表す分解斜視図である。
【図６】図１の遊技場用椅子の要部を表す説明図であり、（ａ）は基本姿勢を表す断面図であり、（ｂ）は（ａ）の状態から係止蓋を取り外したときの断面図であり、（ｃ）は（ｂ）の状態から支柱部を平行移動させたときの断面図であり、（ｄ）は収納姿勢を表す断面図である。
【図７】本発明の第２実施形態に係る遊技機島ユニットの鉛直方向のおける断面図であり、左図は、遊技場用椅子を基本姿勢にした図であり、右図は、遊技場用椅子を収納姿勢にした図である。
【図８】図７の遊技場用椅子の要部を表す分解斜視図である。
【図９】図７の遊技場用椅子の要部を表す分解斜視図であり、遊技場用椅子から固定部を取り外したときの斜視図である。
【図１０】図７の各姿勢における遊技場用椅子の要部を表す説明図であり、（ａ）は基本姿勢を表す平面図であり、（ｂ）は収納姿勢を表す平面図である。
【図１１】本発明の他の実施形態における遊技機島ユニットの断面図であり、左図は、遊技場用椅子を基本姿勢にした図であり、右図は、遊技場用椅子を収納姿勢にした図である。
【図１２】本発明の他の実施形態における遊技機島ユニットの断面図であり、左図は、遊技場用椅子を基本姿勢にした図であり、右図は、遊技場用椅子を収納姿勢にした図である。
【発明を実施するための形態】
【００２６】
以下に、本発明の第１実施形態に係る遊技機島ユニット１について説明する。本実施形態の遊技機島ユニット１は、弾球遊技機（以下、ぱちんこ機ともいう）やスロット機などの遊技機２を備えた遊技場に設置されるものである。
遊技機島ユニット１は、図１のように、複数の遊技機２と、これら複数の遊技機２を取り付ける遊技機島３と、これら複数の遊技機２に対応して設けられる遊技場用椅子５から構成されている。
【００２７】
そして、遊技機島ユニット１では、遊技場用椅子５が遊技機島３に対して相対的に移動可能であって、遊技場用椅子５が通常の遊技時に遊技者が着座できる基本姿勢と、遊技場用椅子５の一部が遊技機島３側に収納される収納姿勢とをとることを特徴の一つとしている。
【００２８】
以下、本実施形態の遊技機島ユニット１について説明するが、理解を容易にするために、ぱちんこ機２（遊技機）と、ぱちんこ島３（遊技機島）と、遊技場用椅子５からなる１つの遊技機島ユニット１に注目して説明する。
【００２９】
本実施形態の遊技機島ユニット１は、図１のように、所定の方向（長さ方向Ｚ）に帯状に延びたぱちんこ島３を有し、当該所定の方向（長さ方向Ｚ）に複数のぱちんこ機２が並列されている。また、ぱちんこ島３に、ぱちんこ機２がぱちんこ島３の表裏方向Ｘ（長さ方向Ｚに直交する方向）に対向するように配されている。
【００３０】
ぱちんこ機２は、公知のぱちんこ機である。
【００３１】
ぱちんこ島３は、表裏面にぱちんこ機２を取り付けて、各ぱちんこ機２にぱちんこ球（遊技媒体）を循環させるものである。
【００３２】
ぱちんこ島３は、図１に示されるように、島の外郭を形成する島構造部１０２に複数の枠状の遊技機取付部１０３が並列的に設けられており、ぱちんこ機２はその遊技機取付部１０３に設置されている。具体的には、ぱちんこ島３は、表面側に８箇所の遊技機取付部１０３を備えており、裏面側にも８箇所の遊技機取付部１０３を備えている。すなわち、ぱちんこ島３は、表裏面にそれぞれぱちんこ機２を８台ずつ取り付け可能となっている。
【００３３】
また、ぱちんこ島３は、遊技機取付部１０３の下部に外側（遊技場用椅子５側）に向けて張り出した膳板部３０を有している。
膳板部３０は、ぱちんこ機２の底部を載置する部位であり、ぱちんこ機２の並列方向Ｚに延びた載置板である。
膳板部３０は、幅方向Ｘに張り出しており、ぱちんこ球を収納するぱちんこ箱などを載置することができる。
【００３４】
膳板部３０のさらに下方には、腰板部３１（壁面形成部）を備えている。
腰板部３１は、ぱちんこ島３の外壁面を形成する部位であり、平滑な化粧板である。
腰板部３１は、上下方向Ｙ（高さ方向Ｙ）及び並列方向Ｚに面状に広がりをもっており、ぱちんこ機２の並列方向Ｚにおいて、複数台のぱちんこ機２に跨がって延びている。
【００３５】
また、島構造部１０２で形成された内部空間には、図２から読み取れるように、ぱちんこ機２の設置位置よりも高さ方向Ｙ上方に島上タンク１０５が設置されており、ぱちんこ機２の設置位置よりも高さ方向Ｙ下方に２つの島中タンク１０６，１０７と、球研磨装置１１３及び球揚送装置１０８を内蔵する下部タンク１０９が設置されている。
【００３６】
島上タンク１０５は、後述する球揚送装置１０８から送られた球を一時的に貯留する貯留手段であり、必要に応じて球をぱちんこ機２に送り出す機能や隣接する他の遊技機島に向けて送り出す機能、さらには一定量以上の球が流入した場合に強制的に球を排出することを可能とする機能が備えられている。
【００３７】
島中タンク１０６，１０７は、ぱちんこ島３の端部（ぱちんこ機２の並設方向Ｚ端部）にそれぞれ１つずつ配され、島上タンク１０５において強制的に排出された球や、球を計数する図示しない計数装置等から送られた球を一時的に貯留する貯留手段である。そして、島中タンク１０６，１０７には、必要に応じてタンク内の球を後述する下部タンク１０９内の球研磨装置１１３に送り出すことを可能とする機能が備えられている。
【００３８】
下部タンク１０９は、球研磨装置１１３と球揚送装置１０８を内蔵したものである。
下部タンク１０９は、ぱちんこ島３の中央近傍（ぱちんこ機２の並設方向Ｚの中間）に配されており、島中タンク１０６，１０７及びぱちんこ機２から排出された球を研磨し、島上タンク１０５に搬送することが可能となっている。
【００３９】
球揚送装置１０８は、球研磨装置１１３から送り出された球を上方に向けて揚送する装置である。球揚送装置１０８は、球研磨装置１１３に隣接した位置であって、球研磨装置１１３の球の流れ方向下流側に設けられている。
【００４０】
続いて、ぱちんこ島３における搬送路１１０について説明する。
搬送路１１０は、図２に示すように、前記した各構成機器を繋ぐ流路であり、大別して、ぱちんこ機２の並設方向Ｚ（横方向）に延伸した横搬送路１１１と、高さ方向Ｙ（縦方向）に延伸した縦搬送路１１２により構成されている。
【００４１】
横搬送路１１１には、ぱちんこ機２の設置位置を基準として、ぱちんこ機２の設置位置よりも高さ方向Ｙ下方に位置する低位置搬送路と、ぱちんこ機２の設置位置よりも高さ方向Ｙ上方に位置する高位置搬送路がある。
すなわち、横搬送路１１１には、低位置搬送路たるアウトレール１１５と、高位置搬送路たる補給レール１１６及びオーバーフローレール１１７を備えている。
【００４２】
アウトレール１１５は、ぱちんこ機２から排出された球（いわゆる、アウト球）や島中タンク１０６，１０７から排出された球を搬送する流路である。
具体的には、アウトレール１１５は、ぱちんこ島３の各端部ａ，ｂ側（ぱちんこ機２の並設方向Ｚの両端部）から球研磨装置１１３に向けて下り勾配となるように設置されたレールである。すなわち、アウトレール１１５は、レール内に流入した球をぱちんこ島３のほぼ中央の位置にある下部タンク１０９内の球研磨装置１１３に向けて、球を自然搬送する流路である。
【００４３】
補給レール１１６は、図２に示すように、各ぱちんこ機２に向けて球を搬送する流路で、島上タンク１０５からぱちんこ島３の端部ａ，ｂ側に向けて下り勾配となるように設置された流路である。すなわち、補給レール１１６は、ぱちんこ島３の中央側からぱちんこ島３の両端部ａ，ｂ側に向けて、球を自然搬送する流路である。
【００４４】
オーバーフローレール１１７は、島上タンク１０５において一定量を超えた球を島中タンク１０６，１０７に向けて搬送するという点と、補給レール１１６より若干低い位置に設置されているという点以外は、補給レール１１６とほぼ同様の構成であるため、説明を省略する。
【００４５】
一方、縦搬送路１１２は、横搬送路１１１と接続された流路であり、各ぱちんこ機２に対応する位置に配された補給シュート（図示しない）と、各ぱちんこ機２から排出されるアウト球をアウトレール１１５に排出する排出流路（図示しない）と、島中タンク１０６，１０７に球を導入する球抜き流路１１８及びオーバーフロー流路１１９と、球を上方に向けて搬送する揚送流路１２０とがある。
【００４６】
したがって、ぱちんこ島３の内部において、補給シュートは、補給レール１１６を通過した球が各ぱちんこ機２に向けて下方に流れるように配され、排出流路は、各ぱちんこ機２から排出された球がアウトレール１１５に向けて下方に流れるように配される。
また、球抜き流路１１８は、補給レール１１６において並設されたぱちんこ機２を通りすぎてぱちんこ島３の両端部ａ，ｂに到達した球が島中タンク１０６，１０７に向けて下方に流れるように配され、オーバーフロー流路１１９は、オーバーフローレール１１７を通過した球が島中タンク１０６，１０７に向けて下方に流れるように配されている。
さらに、揚送流路１２０は、下部タンク１０９を通過した球が島上タンク１０５に向けて上方に流れるように配されている。
【００４７】
このように、ぱちんこ島３の内部構造では、多量の球が循環する構造となっており、球が低位置搬送路の下部タンク１０９で球研磨装置１１３により研磨されて、研磨された球が高位置搬送路の島上タンク１０５に揚送される構造となっている。
【００４８】
続いて、本発明の特徴の一つである遊技場用椅子５について説明する。
遊技場用椅子５は、ぱちんこ島３に取り付けられた複数のぱちんこ機２に対応して配されるものであり、遊技者が遊技する際に腰掛けるものである。
具体的には、遊技場用椅子５は、並列的に並べられた各ぱちんこ機２に幅方向Ｘ（ぱちんこ島３の表裏方向Ｘ）に対向するように１脚ずつ配されており、各ぱちんこ機２の設置位置に依存した配置とされている。
【００４９】
本実施形態の遊技場用椅子５は、図３に示すように、遊技者が腰掛けた際に当該遊技者のでん部が置かれる着座部６と、着座部６に支持され遊技者が腰掛けてもたれた際に当該遊技者の背中が接する背もたれ部７と、着座部６を床面４から離れた位置に支持する脚部８（支持部）とによって構成されている。
【００５０】
着座部６は、遊技者が着座する部位であり、遊技者の着座面にクッション等の緩衝部を有している。
背もたれ部７は、遊技者の背中をもたせかけられる部位である。
【００５１】
脚部８は、図３のように、支柱部１０と、規制部１１と、係止蓋１２とによって形成されている。
支柱部１０は、着座部６を支持する部位であり、図５のように、外形形状が円形状の本体部１５と、本体部１５の下端部（着座部６と反対側端部）から径方向外側に向けて張り出した係合部１６を有している。
本体部１５は、円柱状又は円筒状の部位であり、係合部１６は、環状のフランジである。
【００５２】
規制部１１は、支柱部１０の移動を所定の方向に規制する部位であり、面状に広がりを有しており、遊技場の床面４に一体的に固定されている。
規制部１１は、底面部２０と、底面部２０の上方に所定の間隔を空けて配された天面部２１と、底面部２０と天面部２１を繋ぐ側面部２２によって形成されている。すなわち、規制部１１は、底面部２０と天面部２１と側面部２２に囲まれた移動空間２３を有している。
【００５３】
底面部２０は、オーバル状の部位であり、床面４に対してボルト等の締結要素によって一体的に固定されている。
側面部２２は、底面部２０の外縁から上方に向かって立設した壁部である。
天面部２１は、環状の部位であり、切り欠き部２５を有している。
切り欠き部２５は、長手方向がぱちんこ島３に近接・離反する方向（内外方向）に向いたオーバル状の切り欠きである。
切り欠き部２５の幅Ｗ１は、支柱部１０の係合部１６の外径Ｄ１よりも小さく本体部１５の外径Ｄ２とほぼ同一かやや大きい
切り欠き部２５の開口内には、支柱部１０の本体部１５が挿通可能である。
【００５４】
係止蓋１２は、規制部１１に対して着脱可能な部材であり、規制部１１の切り欠き部２５に取り付けて切り欠き部２５を閉塞し、支柱部１０の移動を規制する部材である。すなわち、係止蓋１２は、規制部１１の天面部２１の切り欠き部２５に沿った規制側押圧部２６と、支柱部１０の本体部１５及び係合部１６に沿った支柱側押圧部２７を有している。
【００５５】
続いて、基本姿勢における遊技機島ユニット１の各部材の位置関係について説明する。
【００５６】
ぱちんこ島３の遊技機取付部１０３は、図１，図４から読み取れるように、ぱちんこ機２がそれぞれ取り付けられている。
ぱちんこ機２は、２列に並列されており、並列方向Ｚにおいては、ぱちんこ機２は所定の間隔を空けて直線上に並んでいる。
一方の列をなす一群のぱちんこ機２は、他方の列をなす一群のぱちんこ機２とぱちんこ島３を挟んで対向する位置に配されている。
すなわち、ぱちんこ機２は、図４のように、幅方向Ｘにおいて、ぱちんこ島３を挟んで背面が対向するように設けられている。
図４に示されるように、幅方向Ｘに対向したぱちんこ機２を取り付ける遊技機取付部１０３ａ，１０３ｂは、遊技機取付部１０３ａを正面視したときに、遊技機取付部１０３ａの投影面が反対側の遊技機取付部１０３ｂと略一致している。すなわち、ぱちんこ機２の並列方向Ｚにおいて、ぱちんこ島３を挟んで対向するぱちんこ機２の位置は殆どずれていない。
【００５７】
遊技場用椅子５に注目すると、着座部６は、図３のように、床面４に対して略平行になるように脚部８によって支持されており、背もたれ部７は、着座部６から上方に向かって立ち上がっている。
着座部６は、膳板部３０よりも低い位置にあり、背もたれ部７は、その一部が膳板部３０よりも高い位置にある。
腰板部３１は、着座部６と対面している。
【００５８】
脚部８に注目すると、係止蓋１２は、図６（ａ）のように、ボルト等の締結要素（図示しない）によって規制部１１の切り欠き部２５に装着されている。
係止蓋１２の下面は、規制部１１の底面部２０及び支柱部１０の係合部１６上に載置されている。
係止蓋１２の規制側押圧部２６は、図３の左図のように内側（ぱちんこ島３側）を向いており、天面部２１に当接している。
係止蓋１２の支柱側押圧部２７は、外側（ぱちんこ島３と反対側）を向いており、支柱部１０の本体部１５及び係合部１６に当接している。すなわち、支柱側押圧部２７は、天地方向Ｙにおいて本体部１５及び係合部１６に跨がって配されている。
支柱部１０は、図６（ａ）のように規制部１１の天面部２１に当接している。すなわち、支柱部１０は、支柱側押圧部２７と天面部２１によって挟持された状態となっている。そのため、支柱部１０は、移動不能となっており、係止蓋１２及び天面部２１の剛性によって、姿勢が保持されている。
【００５９】
また、ぱちんこ島３を挟んで対向する遊技場用椅子５，５は、互いに離反した姿勢となっている。
【００６０】
続いて、基本姿勢から収納姿勢に変更する際の遊技機島ユニット１の各部材の位置関係について説明する。
【００６１】
図示しないボルト等の締結要素を取り外して、係止蓋１２を切り欠き部２５から取り外す（図６（ａ）から図６（ｂ））。
このとき、係止蓋１２による係合状態が解除され、支柱部１０は、切り欠き部２５の長手方向に沿って移動可能となっている。すなわち、支柱部１０は、ぱちんこ島３の腰板部３１に対して相対的に近接可能となっている。言い換えると、着座部６は、床面４に対して平行移動可能となっている。
【００６２】
その後、着座部６を床面４に対して平行移動させて、着座部６を腰板部３１に当接させる（図６（ｂ）から図６（ｃ））。
このとき、着座部６と腰板部３１との間には、隙間がなく、遊技者は着座不能となっている。また、遊技場用椅子５の外側（ぱちんこ島３と反対側）には空間が形成されている。
【００６３】
その後、係止蓋１２を切り欠き部２５に取り付ける（図６（ｃ）から図６（ｄ））。
このとき、遊技場用椅子５は、図３の右図のように、着座部６が腰板部３１と当接又は近接する収納姿勢をとる。
また、膳板部３０の先端部は、背もたれ部７に近接した位置にある。
係止蓋１２は、規制側押圧部２６が内側（ぱちんこ島３と反対側）を向いており、支柱側押圧部２７が外側（ぱちんこ島３側）を向いている。そして、規制側押圧部２６は、天面部２１の前記基本姿勢において当接していた部位と対向する側の部位と当接している。同様に、支柱側押圧部２７は、支柱部１０の前記基本姿勢において当接していた部位と反対側の部位と当接している。
【００６４】
その後、必要に応じてボルト等の締結要素により、係止蓋１２と規制部１１を一体化させる。
【００６５】
以上のように第１実施形態の遊技機島ユニット１によれば、通常営業を行う場合には、基本姿勢にすることによって、遊技者が座ることが可能となる。
また、ぱちんこ機２を入れ替える際には、収納姿勢にすることによって、背もたれ部７の外側（ぱちんこ島３と反対側）に空間が形成されるので、作業者は、ぱちんこ機２を遊技機取付部１０３に近づいて設置することができる。そのため、ぱちんこ機２の入れ替え作業が容易となる。
【００６６】
続いて、第２実施形態の遊技機島ユニット５０について説明する。なお、第１実施形態と同様のものは同じ符番を付して説明を省略する。
【００６７】
第２実施形態の遊技機島ユニット５０は、第１実施形態の遊技機島ユニット１と遊技場用椅子の構造が異なる。
第２実施形態の遊技場用椅子５１は、図７に示されるように、着座部６と、背もたれ部７と、脚部５２とによって構成されている。
脚部５２は、図８のように、支柱部５３と、第１連結部５５と、第２連結部５６と、固定部５７とによって形成されている。
支柱部５３は、第１実施形態の支柱部１０と同様、着座部６を支持する部位であり、円柱状又は円筒状の本体部５８と、直方体状の係合部６０を有している。
本第２実施形態の本体部５８は、第１実施形態の本体部１５と同様の円柱状の部位である。
係合部６０は、四角形状の板状部位であり、その片面に係合突起６１，６２が形成されている。本実施形態では、係合部６０は、天面６３に係合突起６１，６２が形成されている。
係合突起６１，６２は、係合部６０の天面６３から立設した突起であり、規制スリット７２，７３と係合可能となっている。
係合突起６１，６２は、オーバル状の突起であり、長手方向がともに長さ方向を向いている。
【００６８】
第１連結部５５は、図８，図９から読み取れるように、係合部６０の下面と相似形状をした底面部６５と、底面部６５と所定の間隔を空けて対向する天面部６６と、底面部６５と天面部６６を接続する３つの側面部６７，６８，６９を有している。すなわち、第１連結部５５は、底面部６５、天面部６６、及び側面部６７，６８，６９によって囲まれた第１連結空間７０を有している。
第１連結空間７０は、底面部６５と側面部６７，６８，６９と天面部６６によって形成された開口によって外部と連通している。
【００６９】
天面部６６は、図８のように、第１切り欠き部７１と、規制スリット７２，７３を有している。
第１切り欠き部７１は、一方の端部から他方の端部に向けて直線状に延びている。
第１切り欠き部７１は、本体部５８の外周面に沿った円弧状の円弧部７５と、円弧部７５から直線状に延びた直線部７６を有している。
円弧部７５は、略半円状の部位であり、本体部５８を装着可能となっている。
直線部７６の幅Ｗ２は、支柱部５３の本体部５８の外径Ｄ３と略同一の幅であり、係合部６０の幅Ｗ３よりも小さい。
【００７０】
規制スリット７２，７３は、係合部６０の係合突起６１，６２の移動を所定の方向に規制するものである。規制スリット７２，７３は、後述する第２切り欠き部８６の直線部９０と平行に延びている。
別の観点からみると、規制スリット７２，７３は、係合部６０の係合突起６１，６２の長手方向と同一方向に延びた溝であり、その内部に係合部６０の係合突起６１，６２を挿入可能となっている。
規制スリット７２，７３は、天面部６６の部材厚方向に貫通した貫通溝であり、各規制スリット７２，７３は、天面部６６において所定の間隔を空けて配されている。
規制スリット７２，７３の間には、第１切り欠き部７１が位置している。
【００７１】
側面部６７，６９は、外側に向けて突出した係合突起７７，７８を有している。
係合突起７７，７８は、側面部６７，６９から立設した突起であり、後述する第２連結部５６の規制スリット８７，８８と係合可能となっている。係合突起７７，７８は、オーバル状の突起であり、長手方向がともに長さ方向を向いている。
【００７２】
第２連結部５６は、図８のように、底面部８０と、底面部８０と所定の間隔を空けて対向する天面部８１と、底面部８０と天面部８１を接続する３つの側面部８２，８３，８４を有している。すなわち、第２連結部５６は、底面部８０、天面部８１、及び側面部８２，８３，８４によって囲まれた第２連結空間８５を有している。
【００７３】
天面部８１は、第２切り欠き部８６を有している。
第２切り欠き部８６は、支柱部５３の本体部５８の外周に沿った円弧状の円弧部８９と、円弧部８９から直線状に延びた直線部９０を有している。
円弧部８９は、略半円状の部位であり、本体部５８を装着可能となっている。
直線部９０の幅Ｗ４は、支柱部５３の本体部５８の外径Ｄ３と略同一の幅であり、係合部６０の幅Ｗ３よりも小さい。
【００７４】
側面部８２，８４は、規制スリット８７，８８を有している。
規制スリット８７，８８は、第１連結部５５の係合突起７７，７８の移動を所定の方向に規制するものである。
規制スリット８７，８８は、第１連結部５５の係合突起７７，７８の長手方向と同一方向に平行に延びた溝であり、その内部に第１連結部５５の係合突起７７，７８を挿入可能となっている。
規制スリット８７，８８は、側面部８２，８４の部材厚方向に貫通した貫通溝である。
規制スリット８７，８８は、側面部８２，８４の天地方向の中央に設けられており、第２連結空間８５を挟んで互いに対向する位置にある。
【００７５】
固定部５７は、図８，図９から読み取れるように、天面被覆部９１と、天面被覆部９１の３辺から下方に向けて立設した側面被覆部９２，９３，９４を有している。すなわち、固定部５７は、天面被覆部９１と側面被覆部９２，９３，９４によって囲まれた固定空間９５を有している。
天面被覆部９１は、第３切り欠き部９６を有している。
第３切り欠き部９６は、円弧部９７と直線部９８から形成されている。
円弧部９７は、略半円状の部位であり、本体部５８を装着可能となっている。
直線部９８の幅Ｗ５は、支柱部５３の本体部５８の外径Ｄ３と略同一の幅であり、係合部６０の幅Ｗ３よりも小さい。
【００７６】
続いて、第２実施形態の遊技場用椅子５１の各姿勢における各部位の位置関係について説明する。
【００７７】
まず、図７の左図に示される着座姿勢において説明する。
第１連結部５５は、図９，図１０（ａ）から読み取れるように、第２連結部５６の第２連結空間８５に収納されており、係合部６０は、第１連結部５５の第１連結空間７０に収納されている。また、これらの外側を固定部５７が被覆している。
第１連結部５５の第１切り欠き部７１と第２連結部５６の第２切り欠き部８６は、連通しており、支柱部５３の本体部５８は、連通した切り欠き部７１，８６に装着されている。
また固定部５７の第３切り欠き部９６は、平面視したときに、切り欠き部７１，８６と合わさって円を形成しており、当該円内の支柱部５３の本体部５８が挿通されている。
すなわち、固定部５７の円弧部９７と第１連結部５５の円弧部７５及び第２連結部５６の円弧部８９によって、支柱部５３の本体部５８は挟持されている。そのため、支柱部５３の本体部５８は、床面４に対する平行移動が規制されている。
固定部５７は、ボルト等の締結要素によって係合部６０と一体的に固定されている。
【００７８】
続いて、基本姿勢から収納姿勢に変更する際の遊技機島ユニット５０の各部材の位置関係について説明する。
【００７９】
図９のように、固定部５７から図示しないボルト等の締結要素を取り外して、第１連結部５５等から固定部５７を取り外す。
このとき、固定部５７による固定状態が解除され、支柱部５３は、第１連結部５５に対して第１切り欠き部７１の直線部７６に沿って相対移動可能となっており、第１連結部５５は、第２連結部５６に対して第２切り欠き部８６の直線部９０に沿って相対移動可能となっている。そして、支柱部５３は、第１連結部５５及び第２連結部５６を介して、ぱちんこ島３の腰板部３１に対して相対的に近接可能となっている。
【００８０】
その後、図１０（ｂ）のように着座部６を床面４に対して平行移動させて、着座部６を腰板部３１に当接させる。
このとき、遊技場用椅子５１は、図７の右図のように着座部６が腰板部３１と当接又は近接する収納姿勢をとる。
着座部６と腰板部３１との間には、隙間がなく、遊技者は着座不能となっている。また、遊技場用椅子５１の外側（ぱちんこ島３と反対側）には空間が形成されている。
膳板部３０の先端部は、背もたれ部７に近接した位置にある。
【００８１】
第２実施形態の遊技機島ユニット５０は、着座姿勢において、支柱部１０、第１連結部５５、第２連結部５６、及び固定部５７が重なった状態であるため、遊技者が着座しても剛性を保つことができる。
【００８２】
上記した実施形態では、収納姿勢において着座部６と腰板部３１が当接し、背もたれ部７と膳板部３０が近接した姿勢を取っていたが、本発明はこれに限定されるものではなく、背もたれ部７と膳板部３０が当接し、着座部６と腰板部３１が近接した姿勢を取っていてもよい。
【００８３】
上記した実施形態では、収納姿勢において背もたれ部７の姿勢は基本姿勢における姿勢と同様であったが、本発明はこれに限定されるものではなく、背もたれ部７にヒンジ等の接続部材を備えさせて、背もたれ部７の姿勢を変更してもよい。
この場合、図１１のように、背もたれ部７の大部分を着座部６に対して略平行な姿勢にし、この状態で収納姿勢にすることによって、膳板部３０の下方側に遊技場用椅子の全部を位置させることが好ましい。こうすることによって、遊技機取付部の前方の空間を開放させることができる。
また、収納姿勢を取る際に、背もたれ部７が着座部６に対して相対的に移動する構成であってもよい。例えば、図１２のように背もたれ部７が着座部６に対して天地方向に下がる構成であってもよい。
【００８４】
上記した第２実施形態では、係合部６０に係合突起６１，６２を設け、第１連結部５５に規制スリット７２，７３を設けて係合させたが、本発明はこれに限定されるものではなく、係合部６０に規制スリット７２，７３を設けて、第１連結部５５に係合突起６１，６２を設けて係合させてもよい。
同様に、第１連結部５５に係合突起７７，７８を設け、第２連結部５６に規制スリット８７，８８を設けて係合させたが、本発明はこれに限定されるものではなく、第１連結部５５に規制スリット８７，８８を設け、第２連結部５６に係合突起７７，７８を設けて係合させてもよい。
【００８５】
上記した第２実施形態では、係合部６０の天面６３に係合突起６１，６２を設けたが、本発明はこれに限定されるものではなく、係合部６０の他の面に係合突起６１，６２を設けてもよい。この場合、対応する位置に規制スリット７２，７３が形成される。
同様に、第１連結部５５の側面部６７，６９に係合突起７７，７８を設けたが、本発明はこれに限定されるものではなく、第１連結部５５の他の面に係合突起７７，７８を設けてもよい。この場合、対応する位置に規制スリット８７，８８が形成される。
【００８６】
上記した実施形態では、ぱちんこ島３が直線上に延びたものについて説明したが、本発明はこれに限定されるものではなく、ぱちんこ島３の延伸方向は特に限定されない。円弧状に延びていてもよい。
【符号の説明】
【００８７】
１，５０  遊技機島ユニット
２  ぱちんこ機（遊技機）
３  ぱちんこ島（遊技機島）
４  床面
５，５１  遊技場用椅子
６  着座部
７  背もたれ部
８，５２  脚部（支持部）
３０  膳板部
３１  腰板部（壁面形成部）
１０６，１０７  島中タンク
【図１】
2015116314.tif 000003
【図２】
2015116314.tif 000004
【図３】
2015116314.tif 000005
【図４】
2015116314.tif 000006
【図５】
2015116314.tif 000007
【図６】
2015116314.tif 000008
【図７】
2015116314.tif 000009
【図８】
2015116314.tif 000010
【図９】
2015116314.tif 000011
【図１０】
2015116314.tif 000012
【図１１】
2015116314.tif 000013
【図１２】
2015116314.tif 000014